(57)【要約】  【課題】  袋本体の上部周縁部分の折返片にＴ字型切込を設けて提げ紐を挿通できように掛止し、提げ手部を装着して提げ紐の取付け作業を簡略化する。  【解決手段】  逆Ｕ字状に折り曲げた提げ紐１６の両端を補強板１７に取り付けた提げ手部１５と、上部を開口した袋本体６の上部周縁部に設けた折曲線１９の上部に折返片９を有する方形状の袋本体６の両側上部に位置して設けた折返片９及び折曲線１９上にＴ型切込２３をそれぞれ形成した袋本体６とからなり、該袋本体６）の上部内面に提げ手部の補強板１７を配して前記逆Ｕ字状をした提げ紐１６を前記Ｔ型切込２３内にそれぞれ掛止し、該折返片を折り返して開口部７の内面に接着固定し、前記Ｔ型切込の横切込２３ａから提げ紐１６を引き出してなる。【選択図】  図１
0003123549.tif 000002
【実用新案登録請求の範囲】
【請求項１】
紙製の手提げ袋であって、
逆Ｕ字状に折り曲げた提げ紐（１６）の両端を補強板（１７）に接着して取付けた提げ手部（１５）と、
開口した上部周縁部に折曲線（１９）を設け、その上部に折返片（９）を有する方形状の袋本体（６）の両側上部に位置する折返片（９）及び折曲線（１９）上にＴ型切込（２３）をそれぞれ形成してなる袋本体（６）とからなり、
該袋本体（６）の上部内面に提げ手部の補強板（１７）を配して前記逆Ｕ字状をした提げ紐（１６）を前記Ｔ型切込（２３）内にそれぞれ掛止し、該折返片を折り返して開口部（７）の内面に接着固定し、前記Ｔ型切込の横切込（２３ａ）から提げ紐（１６）を引き出してなることを特徴とする紙製手提げ袋。
【請求項２】
前記Ｔ型切込（２３）は、提げ紐（１６）の横巾長Sの長さをした横切込（２３ａ）と縦切込（２３ｂ）とからなり、該横切込（２３ａ）は前記折曲線（１９）上に対をなして形成し、該縦切込（２３ｂ）は前記横切込の中間部から前記折返片（９）の端部まで上下方向に連続して設けたことを特徴とする請求項１記載の紙製手提げ袋。
【請求項３】
前記袋本体（６）の上部周縁部に沿って設けた折曲線（１９）上に、前記提げ紐（１５）を押し潰した横巾長Ｓと等しい長さをして対をなす横切込（２３ａ）をそれぞれ形成し、前記開口部（７）の内方に折返片（９）を折り返す折曲線（１９）に、上部が密着するように前記提げ手部の補強板（１７）を前記折曲線（１９）下方内面に接着固定し、前記Ｔ型切込の縦切込（２３ｂ）を互いに接着させることを特徴とする請求項１記載の紙製手提げ袋。
【考案の詳細な説明】
【技術分野】
【０００１】
本考案は、紙製手提げ袋の改良に関するものである。
【背景技術】
【０００２】
従来、外出先で気に入った商品を見つけそれを購入して自宅などに持ち帰る場合に、多く使用する簡便な物入れ容器として紙製の手提げ袋が広く使用されている。この手提げ袋は、使用しないときには狭い場所に収納しておくのに便利なように薄い紙部材１を用いてそれぞれ折目を介して函型に形成した正面部２、裏面部３、両側面部４、底面部５を有して折り畳めるように形成した袋本体６の上部に設けた開口部７の両側部分である正面部及び裏面部の上部に、手提げ紐８、８を取付けて持ち運びに便利なよう形成してある。
【０００３】
この手提げ紐８、８の両端を袋本体６の上部に位置する開口部７の両側に取付けるには、その取付部分の強度を高めるため、図６に示すように、該袋本体６の上部周縁部に存する折返片９を開口部の内面に折り返して二重に形成したり、または、この折返片の内部に細長い補強板１０、１０を配して三重に形成したりしている。そして、袋本体の開口部両側の正面部２及び裏面部３の上部に形成した挿通穴１１、１１に手提げ紐８、８の端部を外側から挿入し、開口部７の内側に位置させた端部に結び目１２、１２を設けて掛止している（例えば、特許文献１参照）。
【０００４】
この手提げ紐８、８の端部に設けた結び目１２、１２は、袋本体６の開口部両側に形成した挿通穴１１、１１に挿通させた後、手作業により結び目を作る作業を必要とし、機械化は困難であった。そして、この袋本体６の開口部７の内面に位置した結び目１２、１２が、挿通穴から抜けないように大きく形成してあるため、袋本体内部への商品の出し入れに際して該結び目が邪魔になるという欠点を有していた。
【０００５】
手提げ袋の製造を機械化する一例として、図５に示した既存の提げ手部１５を使用している。この提げ手部１５は、編み紐など柔軟な紐材を逆Ｕ字状に湾曲させた提げ紐１６の両端を細巾で横長に形成した厚紙などの補強板１７に接着剤やホッチキスなどの針金を用いて固着している。この提げ手部の補強板１７を、例えば、図７に示した袋本体６の上部周縁部に折曲線１９を介して折返片９ａを設け、該折曲線１９のやや下方（紙本体を展開した状態では上方）に位置する袋本体６の内面（まだ折返片を折り返さない状態）に、提げ手部１５の補強板１７を機械的又は手作業により接着固定している。さらに、折返片９ａを同じく機械的又は手作業によって該折曲線から開口部７の内方に折返して接着固定している。
【０００６】
前記手提げ袋の正面部及び裏面部の上方に位置する折返片９ａの中間部にそれぞれ対をなして設けた略Ｊ型切込２０、２０の上辺部から提げ紐１６を外方に引き出し、即ち、折返片９ａの内部から開口部内に引き出し、該略Ｊ型切込２０、２０は該折返片の下方端部まで連通して設け、該略Ｊ型切込２０，２０を袋本体の開口部内面に接着固定するものであり、挿通穴などは設けていない（例えば、特許文献２参照）。
【０００７】
しかし、袋本体の折曲線１９と提げ手部１５の補強板１７の上部との間に、狭い間隔Ｌが存してしまうことがあり、紙材１が切れやすいという欠点があった。しかも、補強板１７は袋本体６と折返片９ａとで両面から接着固定しているが、折曲線１９の部分と補強板１７の上部とが離れているため、折返片９ａ、９ａの折曲線１９部分は提げ手部の取り付け強度を高めるのに有効に利用されていなかった。しかも、この開口部の内面の折返片には略Ｊ型の曲線模様が生じてしまい。即ち上下方向の直線のみではなく横方向の線部分を含む特殊な模様になって目立ってしまい、高級感が得にくいという欠点を有していた。
【０００８】
さらに、図５に示す提げ手部１５を使用した他に実施例について、図８に基づいて説明すると、袋本体６の上部周縁部に設けた折返片９ｂを袋本体の開口部の内側に折り返すための折曲線１９ａの部分に、提げ紐間の間隔長Ｍをした切込溝２１を設け、さらに、この折返片９ｂの内部に配した補強板１７を袋本体６の内面と折返片９ｂの内面との間に接着し、該補強板１７に両端を取付けた逆Ｕ字状の提げ紐１６を該切込溝２１から外方、即ち、折曲線１９ａの外部に引き出して形成してある。そこの提げ紐１６を外部に引き出した後、該切込溝２１を接着剤で密着して切込を閉じる作業が必要である（例えば。特許文献３参照）。
【０００９】
しかし、逆Ｕ字状の両提げ紐１６の間隔長Ｍ内の両側に位置する提げ紐１６以外の前記折曲線１９ａ上に存する切込溝２１は切り開かれているので、接着剤を用いて互いに密着して閉鎖しているが、閉じられた切込溝２１は直線模様または直線跡として跡が残ってしまう。この折曲線１９は、前記開口部の上端に位置して最も目立つ場所であるため、袋本体の美感を劣化させてしまい高級感が得られないという問題点を有していた。
【特許文献１】特開２００５―８０７０５号公報、図１及び２。
【特許文献２】特開平１０−２３９１６号、図４。
【特許文献３】実開平０２−１２９０４６号、図２。
【考案の開示】
【考案が解決しようとする課題】
【００１０】
本考案は、上記問題点に鑑み、袋本体の上部周縁部分の折返片にＴ字型切込を設けて提げ紐を挿通できように掛止し、袋本体の開口部両側に提げ紐挿通用の穴を設ける必要なく提げ手部を装着できるようにして提げ紐の取付け作業を簡略化すると共に、提げ紐の装着部分を強化すると共に、美感を劣化させることなく高級感を有する手提げ袋を得ることを目的とする。
【課題を解決するための手段】
【００１１】
上記課題を解決するために、本考案は、紙製の手提げ袋であって、逆Ｕ字状に折り曲げた提げ紐１６の両端を補強板１７に接着して取付けた提げ手部１５と、開口した上部周縁部に折曲線１９を設け、その上部に折返片９を有する方形状の袋本体６の両側上部に位置する折返片９及び折曲線１９上にＴ型切込２３をそれぞれ形成した袋本体６とからなり、該袋本体６の上部内面に提げ手部の補強板１７を配して前記逆Ｕ字状をした提げ紐１６を前記Ｔ型切込２３内にそれぞれ掛止し、該折返片を折り返して開口部７の内面に接着固定し、前記Ｔ型切込の横切込２３ａから提げ紐１６を引き出してなることを特徴とする。
この袋本体の開口部の上端に位置する折曲線の部分に設けた横切込から逆Ｕ字型をした提げ紐を外部に引き出し、該横切込以外の折曲線部分に何らの切込もなく、また、開口部内面に接着した折返片には上下方向の線模様が形成されだけのため高級感を得ることができる。
【００１２】
前記Ｔ型切込２３は、提げ紐１６の横巾長Sの長さをした横切込２３ａと縦切込２３ｂとからなり、該横切込２３ａは前記折曲線１９上に対をなして形成し、該縦切込２３ｂは前記横切込の中間部から前記折返片９の端部まで上下方向に連続して設けたことを特徴とする。
上記のように、提げ紐が折返片を貫通させるためのＴ型切込は、直線を組み合わせた簡単な形状であるので、該Ｔ型切込内を提げ紐はスムーズに移動することができ、該切込は直線で構成されているから、該切込溝を閉鎖ふさぐために接着しても単に線状模様となるので目立った傷跡にはならない。
【００１３】
前記袋本体６の上部周縁部に水平に設けた折曲線１９上に、前記提げ紐１５を押し潰した横巾長Ｓと等しい長さをして対をなす横切込２３ａをそれぞれ形成し、前記開口部７の内方に折返片９を折り返す折曲線１９に上部が密着するように前記提げ手部の補強板１７を前記折曲線１９の下方内面に接着固定し、前記Ｔ型切込の縦切込２３ｂを互いに接着させることを特徴とする。
折返片の内部に配して接着する提げ手部の補強板１７を折返片の基部に設けた折曲線１９と合致させて接着してあるので、該袋本体の内面と折返片の内面に接着させて開口部を補強すると共に、該補強板１７の上部を前記折曲線１９の内部に合致して接着してあるので、袋本体内に収容した商品の重量をこの折曲線１９の部分で補強することができるため、提げ紐１６の装着部分を一段と強化した手提げ袋を設けることができる。
【考案の効果】
【００１４】
本考案は、袋本体の開口部上端に設けた折曲線の部分から提げ紐を引き出すように構成したため、この提げ紐を挿通させる挿通穴を開口部の両側に設ける必要がなく、また、提げ紐を通す切込は、簡単な形状で直線の組み合わせからなるＴ字型をした切込であるので、縦切込内を提げ紐が通って移動するのが容易であり、さらに該切込は直線状であるから接着して単なる直線模様となり、高級感を劣化させることがない利点がある。
【考案を実施するための最良の形態】
【００１５】
本考案の実施形態を図面により説明すると、図１は本考案に係る紙製手提げ袋の一部省略した斜視図、図２は袋本体に提げ手部を装着した開口部内面の要部拡大斜視図、図３は袋本体を構成する紙部材の一部省略した展開図、図４はＴ型切込を示した紙部材の上部を展開した要部拡大断面図、図５は既存の提げ手部の正面図である。１は通常の紙部材であって、正面部２と裏面部３はそれぞれ折目および両側面部４、４を介して一体に連続して形成し、該紙部材１の一側端、例えば正面部２に連続して設けた細巾の接着片１３を、該紙部材の他側端、例えば一方の側面部４の内面に接着し、底面部５を具えて方形をした折畳可能なた袋本体６を形成したもので、この構造は従来の紙製の手提げ袋と同じである。
【００１６】
この袋本体６上部周縁部分に水平方向に設けた折曲線１９から上方に位置して折返片９を設け、内方に折り返す折返片９の内部に図５に示す提げ手部１５の補強板１７を接着固定するもので、前記折返片９は内部に補強板１７を包み込んで該補強板１７及び袋本体６の内面に接着固定し、この袋本体の上部に開口部７を設けてある。この紙部材１の正面部２及び裏面部３の上方に位置する折返片は、図３、４に示すように対をなすＴ型切込２３をそおれぞれ形成してある。
【００１７】
このＴ型切込２３は、袋本体の上部周縁部分に設けた折返片９を開口部の内方に折り返し、該開口部の上端に設けた折曲線１９上に位置させて対をなす横切込２３を形成し、該横切込２３ａの中間部から該折返片９の端部（図３、４の上方端）まで連通して上下方向に縦切込２３ｂを一体に設けてＴ字型に形成してある。そのため、図４において、正面部及び裏面部の上方に位置して下方に折り返される折返片９に設けた縦切込２３ｂ内を移動させて横切込２３ａ内に提げ紐１６が移動して掛止するようにし、該提げ紐が折返片１９を貫通した状態となる。
【００１８】
この折曲線１９上に設けた横切込２３ａの横巾長Ｓは、柔軟部材で変形可能な提げ紐１６を袋本体６と折返片９の内面とで押し潰された状態の横幅長さと等しい長さに形成してある。もちろん、この提げ紐１６は可撓性を有する硬質合成樹脂からなる提げ手でも使用が可能である。さらに、補強板１７の上下方向の長さより折返片９の上下方向の長さを長くして、該補強板１７を包み込んで開口部の内面を美しく仕上げるようにしてある。
【００１９】
袋本体６の開口部の両側に提げ手部１５を取り付けるには、図３に示す展開した紙部材１の正面部２及び裏面部３の内面であって、水平方向の折曲部１９に沿って下側に位置させて提げ手部１５の補強板１７，１７を機械的又は手作業によってそれぞれ接着剤で接着する。ついで、この袋本体の各折目をそれぞれ折曲げて一側端に設けた細巾の接着片１３を他側端の側面部４に接着固定し、底面部を形成して上方に開口部７を有した方形の函体をした袋本体６を形成するが、底面部は最後に形成しても良い。この折返片９を機械的又は手作業により開口部７の内方に折り返して、袋本体の内面に接着して開口部を補強している。
【００２０】
前記正面部及び裏面部の上方に位置する折返片９に対をなして設けたＴ型切込２３の縦切込２３ｂは、横切込２３ａと連続して設けてある。そのため、袋本体の正面部及び裏面部に挿通穴を設けることはなく、折返片９の内部に位置した提げ紐１６を該折返片の外側、即ち開口部内に引き出すことができるため、該提げ紐１６は、折返片９の内部から上下方向に設けた縦切込２３ｂ内を通って開口部の上端に位置する折曲線１９上に設けた横切込２３ａ内に掛止させて外方に引き出した構成を有している。
【００２１】
そのため、きれいで高級感のある手提げ袋を形成することができるが、折返片１９には前記横切込２３ａの中間部から上下方向、即ち、開口部から袋本体の下方に向かう直線状の線模様が形成されるが、この線模様は横方向ではなく上下方向であるため目立たないし、開口部の内面に位置しているので外部から目立つことが少ないので高級感を損なうことがない。
【００２２】
前記縦切込２３ｂ内を提げ紐１６が通った後、折返片１９の内面または補強板１７の表面に塗布した接着剤に該折返片１９、特に縦切込２３ｂを互いに密接させるように密着させると上下方向の直線後または直線模様が形成される。この縦切込２３ｂに連続して設けた横切込２３ａは、前記開口部７の上端に位置する折曲線１９上に位置してあり、該折返片の内部に位置した補強板に設けた提げ紐１６は、該縦切込２３ｂ内を通って横切込２３ａ内で移動し、正面部２の内面と折返片１９の内面とで前後から押圧されて薄くなり、左右方向に押し広げられて前記横巾長Sと同じ長さになって該横切込２３ａ内に掛止して薄くなって上方に引き出されて徐々に元の丸みの状態になる。この横切込２３ａは提げ紐の周囲に接着して間隙をが生じないように製作してある。
【００２３】
従来の袋本体と相違して、袋本体の開口部７の両側面にそれぞれ一対の挿通穴を設けたり、該挿通穴に提げ紐の端部をいちいち挿通したり、さらに、提げ紐の端部にそれぞれ結び目を設けたりする手作業などを不要にでき、この提げ紐の端部の結び目を設けることがなく、開口部の内部に結び目が存在しないため商品の出し入れに邪魔になることはない。
【００２４】
さらにまた、折返片９の内部に配する補強板１８は、必ずしも前記折曲線１９に接して取り付ける必要はない。機械加工の制約上、折曲線１９の上端と折返片９の内部に配して接着させた補強板１７の上部との間に間隙Ｓが存しても殆ど問題は無い。即ち、提げ紐は開口部の上端に位置する折曲線１９に設けた横切込２３ａから引き出され、また、該開口部の両側内面には、上下方向の直線模様が形成されるだけのため、手提げ袋をきれいに仕上げることができる。
【００２５】
この提げ紐１６は柔軟な布製が好ましく、また、柔軟な布製の紐の断面が円形であっても帯状であってもよく、少なくとも押し潰された状態の横巾の長さは前記横巾長Ｓをした横切込２３ａ内に合致させるように形成すれば美しく仕上げることができる。
【図面の簡単な説明】
【００２６】
【図１】本考案に係る紙製手提げ袋の一部省略した斜視図である。
【図２】袋本体に提げ手部を装着した開口部内面の要部拡大斜視図である。
【図３】袋本体を構成する紙部材の一部省略した展開図である。
【図４】Ｔ型切込を示した紙部材の上部を展開した要部拡大断面図である。
【図５】既存の提げ手部の正面図である。
【図６】従来の手提げ袋の斜視図である。
【図７】従来の他の手提げ袋の一部省略した斜視図である。
【図８】従来の他の手提げ袋の要部の斜視図である。
【図９】図８に使用した袋本体の一部省略した展開図である。
【符号の説明】
【００２７】
１      紙部材
２      正面部
３      裏面部
６      袋本体
７      開口部
９      折返片
１５      提げ手部
１６      提手紐
１７      補強板
１９      折曲線
２３      Ｔ型切込
２３ａ    横切込
２３ｂ    縦切込  
Ｓ      提げ紐の横巾長
【図１】
0003123549.tif 000003
【図２】
0003123549.tif 000004
【図３】
0003123549.tif 000005
【図４】
0003123549.tif 000006
【図５】
0003123549.tif 000007
【図６】
0003123549.tif 000008
【図７】
0003123549.tif 000009
【図８】
0003123549.tif 000010
【図９】
0003123549.tif 000011
【手続補正書】
【提出日】平成18年5月16日(2006.5.16)
【手続補正１】
【補正対象書類名】明細書
【補正対象項目名】００１０
【補正方法】変更
【補正の内容】
【００１０】
本考案は、上記問題点に鑑み、袋本体の上部周縁部分の折返片にＴ字型切込を設けて提げ紐を挿通できように掛止し、袋本体の開口部両側に提げ紐挿通用の穴を設ける必要なく提げ手部を装着できるようにして提げ紐の取付け作業を簡略化すると共に、提げ紐の装着部分を強化すると共に、美感を劣化させることなく高級感を有する手提げ袋を得ることを目的とする。さらに、本出願は逆Ｕ字型をした提げ紐の間の巾を自由に変更することができ、逆Ｕ字型の紐の長さや種類も自由に選択することができるので、デザイン上もユーザーの使用感を満足させる製品を提供することができる。